(57)【要約】  本出願は、無線通信分野に関し、マルチ無線周波数受信能力を有する端末の測定構成方法、システム及び端末を開示する。したがって、マルチ無線周波数チェーンシナリオにおいて、測定精度を確保するという前提で、端末のスループット特性をできる限り確保する。本出願において、端末は第１無線周波数チェーンを介して第１無線ネットワークにおける第１ネットワークノードに接続され、端末は第２無線周波数チェーンを介して第２無線ネットワークにおける第２ネットワークノードに接続される。第１ネットワークノードは第２ネットワークノードに測定オブジェクト情報を送信する。第２ネットワークノードは測定オブジェクト情報に基づいて測定構成情報を生成する。端末は測定構成情報を取得する。端末は、測定構成情報に基づいて、第２無線周波数チェーンを用いて無線周波数の測定を実行する。第１ネットワークノードは端末からの無線周波数測定結果を取得する。
2021503201.tif 000002
【特許請求の範囲】
【請求項１】
マルチ無線周波数受信能力を有する端末の測定構成方法であって、
第１ネットワークノードが第２ネットワークノードに測定オブジェクト情報を送信するステップと、
前記第２ネットワークノードが測定構成情報の全て又は一部を生成して端末に送信するステップと、
前記端末が前記測定オブジェクトで得られた測定結果を前記第１ネットワークノードに報告するステップと、を含むことを特徴とする、前記マルチ無線周波数受信能力を有する端末の測定構成方法。
【請求項２】
前記端末が前記測定オブジェクトで得られた測定結果を前記第１ネットワークノードに報告するステップは、
前記第２ネットワークノードが、前記端末に接続される無線周波数チェーンを介して前記測定構成情報を前記端末に送信するサブステップ、又は
前記第２ネットワークノードが前記測定構成情報を前記第１ネットワークノードに送信し、前記第１ネットワークノードが、前記端末に接続される無線周波数チェーンを介して前記測定構成情報を前記端末に送信するサブステップと、を含むことを特徴とする
請求項１に記載のマルチ無線周波数受信能力を有する端末の測定構成方法。
【請求項３】
端末に送信するステップは、
前記端末が、前記無線周波数測定結果を前記第１ネットワークノードに接続される無線周波数チェーンを介して前記第１ネットワークノードに送信するサブステップ、又は
前記端末が、前記無線周波数測定結果を前記第２ネットワークノードに接続される無線周波数チェーンを介して前記第２ネットワークノードに送信し、前記第２ネットワークノードが、前記無線周波数測定結果を前記第１ネットワークノードに転送するサブステップを含むことを特徴とする
請求項１に記載のマルチ無線周波数受信能力を有する端末の測定構成方法。
【請求項４】
前記測定オブジェクト情報は、周波数ビン、周波数帯域又は周波数帯域群であることを特徴とする
請求項１に記載のマルチ無線周波数受信能力を有する端末の測定構成方法。
【請求項５】
前記第１ネットワークノードが所在する無線ネットワークは、ＬＴＥ（Ｌｏｎｇ  Ｔｅｒｍ  Ｅｖｏｌｕｔｉｏｎ）ネットワークであり、前記第２ネットワークノードが所在するネットワークは、ＮＲ（Ｎｅｗ  Ｒａｄｉｏ）ネットワークであり、又は
前記第１ネットワークノードが所在する無線ネットワークは、ＮＲネットワークであり、前記第２ネットワークノードが所在する無線ネットワークはＬＴＥネットワークであり、又は
前記第１及び第２ネットワークノードが所在する無線ネットワークは、いずれもＮＲネットワークであることを特徴とする
請求項１に記載のマルチ無線周波数受信能力を有する端末の測定構成方法。
【請求項６】
前記測定オブジェクトは、前記第１ネットワークノードと前記端末とを接続する無線周波数チェーンでサポートされる周波数帯域範囲外にあることを特徴とする
請求項１に記載のマルチ無線周波数受信能力を有する端末の測定構成方法。
【請求項７】
前記測定構成情報は、測定ギャップ、及び測定ギャップと測定オブジェクトとの対応関係を含むことを特徴とする
請求項１に記載のマルチ無線周波数受信能力を有する端末の測定構成方法。
【請求項８】
前記無線周波数測定結果には、測定される周波数ビン、周波数バンド又は周波数バンド群の情報及び／又は対応する測定結果が含まれることを特徴とする
請求項１に記載のマルチ無線周波数受信能力を有する端末の測定構成方法。
【請求項９】
前記第２ネットワークノードが測定構成情報の全て又は一部を生成するステップの前に、
前記第２ネットワークノードが、前記第１ネットワークノードからの測定要求を受け入れるかどうかを判定し、受け入れないと判定した場合、測定要求を拒否することを表すメッセージを前記第１ネットワークノードに送信し、受け入れると判定した場合、測定構成情報を生成して前記端末に送信するステップを更に含むことを特徴とする
請求項１に記載のマルチ無線周波数受信能力を有する端末の測定構成方法。
【請求項１０】
第１ネットワークノードが、第２ネットワークノードに測定オブジェクト情報を送信するステップの前に、
前記第１ネットワークノードが、前記端末に接続される無線周波数チェーンで測定オブジェクトについて無線周波数の測定を実行できるかどうかを判定し、無線周波数の測定を実行できないと判定した場合、前記第２ネットワークノードに測定オブジェクト情報を送信し、無線周波数の測定を実行できると判定した場合、前記第１ネットワークノードと前記端末に接続される無線周波数チェーンを用いて、前記測定オブジェクトについて無線周波数の測定を実行するステップを更に含むことを特徴とする
請求項１に記載のマルチ無線周波数受信能力を有する端末の測定構成方法。
【請求項１１】
端末に送信するステップの後に、
前記端末が、前記測定構成情報に基づいて、前記第２ネットワークノードに接続される無線周波数チェーンを用いて無線周波数の測定を実行するステップを更に含むことを特徴とする
請求項１から１０のうちいずれか一項に記載のマルチ無線周波数受信能力を有する端末の測定構成方法。
【請求項１２】
マルチ無線周波数受信能力を有する端末の測定構成方法であって、
第２ネットワークノードが、第１ネットワークノードからの測定オブジェクト情報を受信するステップと、
前記第２ネットワークノードが測定構成情報の全て又は一部を生成して前記端末に送信するステップと、
前記第１ネットワークノードが、前記端末により前記測定オブジェクトで得られた無線周波数測定結果を取得するステップと、を含むことを特徴とする、前記マルチ無線周波数受信能力を有する端末の測定構成方法。
【請求項１３】
前記測定構成情報は、前記測定オブジェクト情報に基づいて生成され、前記端末が前記第２ネットワークノードと接続される無線周波数チェーンを用いて無線周波数の測定を実行するように供することを特徴とする
請求項１２に記載のマルチ無線周波数受信能力を有する端末の測定構成方法。
【請求項１４】
マルチ無線周波数受信能力を有する端末の測定構成方法であって、
端末が、全て又は一部が第２ネットワークノードにより生成される測定構成情報を取得するステップと、
前記端末が、前記測定構成情報に基づいて、第１ネットワークノードにより提供される測定オブジェクトで無線周波数の測定を実行するステップと、
前記端末が、無線周波数測定結果を前記第１ネットワークノードに報告するステップと、を含むことを特徴とする、前記マルチ無線周波数受信能力を有する端末の測定構成方法。
【請求項１５】
前記端末が前記測定構成情報に基づいて無線周波数の測定を実行するステップにおいて、前記端末は、前記第２ネットワークノードと接続される無線周波数チェーンで、前記測定構成情報に基づいて無線周波数の測定を実行することを特徴とする
請求項１４に記載のマルチ無線周波数受信能力を有する端末の測定構成方法。
【請求項１６】
マルチ無線周波数受信能力を有する端末の測定構成システムであって、端末と、第１ネットワークノードと、第２ネットワークノードとを備え、
前記第１ネットワークノードは、前記第２ネットワークノードに測定オブジェクト情報を送信するために用いられ、
前記第２ネットワークノードは、測定構成情報の全て又は一部を生成して端末に送信するために用いられ、
前記端末は、前記測定構成情報に基づいて、前記測定オブジェクトにおいて無線周波数測定を行い、前記測定結果を前記第１ネットワークノードに報告するために用いられることを特徴とする、前記マルチ無線周波数受信能力を有する端末の測定構成システム。
【請求項１７】
ネットワークシステムであって、第１ネットワークノードと、第２ネットワークノードとを備え、
前記第１ネットワークノードは、前記第２ネットワークノードに測定オブジェクト情報を送信し、前記端末からの無線周波数測定結果を取得するために用いられ、
前記第２ネットワークノードは、測定構成情報の全て又は一部を生成して前記端末に送信し、端末が前記測定オブジェクトにおいて無線周波数の測定を実行するように供するために用いられることを特徴とする、前記ネットワークシステム。
【請求項１８】
端末であって、
全て又は一部が前記第２ネットワークノードにより生成される測定構成情報を取得するためのモジュールと、
前記測定構成情報に基づいて、第１ネットワークノードにより提供される測定オブジェクトで無線周波数の測定を実行するためのモジュールと、
無線周波数測定結果を前記第１ネットワークノードに報告するためのモジュールと、を備えることを特徴とする、前記端末。
【請求項１９】
マルチ無線周波数受信能力を有する端末の測定構成方法であって、
第１ネットワークノードが、Ｎ個の他のネットワークノードにそれぞれ測定オブジェクト情報を送信するステップと、
Ｎ個の他のネットワークノードがそれぞれ測定構成情報の全て又は一部を生成して端末に送信するステップであって、ここで、計Ｎ個の測定構成情報が生成される、ステップと、
前記第１ネットワークノードが、前記端末によりＮ個の前記測定オブジェクトでそれぞれ得られたＮ個の無線周波数測定結果を取得するステップと、を含むことを特徴とする、前記マルチ無線周波数受信能力を有する端末の測定構成方法。
【請求項２０】
前記第１ネットワークノードが、前記端末によりＮ個の前記測定オブジェクトでそれぞれ得られたＮ個の無線周波数測定結果を取得するステップは、
前記端末が、Ｎ個の無線周波数測定結果をまとめた後、前記第１無線周波数チェーンを介して前記第１ネットワークノードに報告するサブステップを含むことを特徴とする
請求項１９に記載のマルチ無線周波数受信能力を有する端末の測定構成方法。
【請求項２１】
マルチ無線周波数受信能力を有する測定構成システムであって、端末と、第１ネットワークノードと、Ｎ個の他のネットワークノードを備え、前記Ｎは正整数であり、
前記第１ネットワークノードは、前記Ｎ個の他のネットワークノードにそれぞれ測定オブジェクト情報を送信するために用いられ、ここで計Ｎ個の測定オブジェクトであり、
前記Ｎ個の他のネットワークノードはそれぞれ測定構成情報の全て又は一部を生成するために用いられ、ここで、計Ｎ個の測定構成情報が生成され、
前記端末は、前記Ｎ個の測定構成情報に基づいて、それぞれ前記Ｎ個の測定オブジェクトにおいて無線周波数測定を行って、Ｎ個の無線周波数測定結果を得て、前記第１ネットワークノードに報告するために用いられることを特徴とする、前記マルチ無線周波数受信能力を有する測定構成システム。
【発明の詳細な説明】
【技術分野】
【０００１】
本出願は、無線通信分野に関し、特に、端末の測定構成技術に関する。
【背景技術】
【０００２】
従来の無線通信システム（例えば、ＧＳＭ／ＷＣＤＭＡ／ＬＴＥ）において、一般的には、ネットワーク側は、端末の送受信用無線周波数チェーンがいずれも一通りであるものとする。つまり、端末は、１つのネットワーク（例えば、ＬＴＥ）又は１つの周波数ビン（例えば、１．９ＧＨｚ）でデータ受信を行う時、別のネットワーク（例えばＷＣＤＭＡ）又は別の周波数ビン（例えば、２．６ＧＨｚ）でデータ受信を行うことができない。この場合、ネットワークは、端末に対して対応する測定ギャップ（Ｍｅａｓｕｒｅｍｅｎｔ  ＧＡＰ）を設定する必要がある。この時、端末における、サービスを行っていた元のネットワーク又は周波数ビンでデータ伝送を行うことができず、端末は、無線周波数チェーン（ＲＦ  Ｃｈａｉｎ）を対応する周波数ビンへ再調整（ｒｅｔｕｎｉｎｇ）して測定する。測定ギャップが終了してから、元の周波数ビンへ再調整して、下りデータの受信を継続する。
【０００３】
上記方法において、無線周波数チェーン再調整（ＲＦ  Ｃｈａｉｎ  ｒｅｔｕｎｅ）を行う時、元のチェーンにおける下りデータの受信が中止されるため、ユーザのスループットに大きな影響を与えてしまう。
【０００４】
将来の通信システムにおいて、マルチ無線周波数チェーンに対するサポートについて考えられつつある。例えば、ＬＴＥ二重接続の場合、端末は、２つのリンクでデータの送受信を同時に行うことを考慮する。将来のＮＲネットワークでサポートされるＬＴＥ−ＮＲ多重接続シナリオ及びＮＲ−ＮＲ多重接続シナリオにおいても、端末は、２つのリンクでデータの送受信を同時に行う。これは主に、ＬＴＥ−ＮＲ又はＮＲ−ＮＲシナリオにおいて、２つのアクセスポイントの間の周波数差が大きすぎるため、両者が無線周波数チェーンを共有できないことに起因する。例えば、ＬＴＥは２．６ＧＨｚで動作するが、ＮＲは４．８ＧＨｚ、ひいてはより高い２８ＧＨｚ、３８ＧＨｚ等の周波数帯域で動作する。
【０００５】
マルチ無線周波数チェーンシナリオで、測定精度の確保を前提として如何に端末のスループット特性をできる限り確保するかは、至急に解决する必要がある問題となる。
【発明の概要】
【発明が解決しようとする課題】
【０００６】
本出願は、マルチ無線周波数受信能力を有する端末の測定構成方法、システム及び端末を提供することで、マルチ無線周波数チェーンシナリオで測定精度の確保を前提として端末のスループット特性をできる限り確保する。
【課題を解決するための手段】
【０００７】
上記課題を解決するために、本出願は、マルチ無線周波数受信能力を有する端末の測定構成方法を開示し、該方法は、
第１ネットワークノードが第２ネットワークノードに測定オブジェクト情報を送信するステップと、
該第２ネットワークノードが測定構成情報の全て又は一部を生成して端末に送信するステップと、
該端末が該測定オブジェクトで得られた測定結果を該第１ネットワークノードに報告するステップと、を含む。
【０００８】
１つの好適な例において、該端末が該測定オブジェクトで得られた測定結果を該第１ネットワークノードに報告するステップは、
該第２ネットワークノードが、該端末に接続される無線周波数チェーンを介して該測定構成情報を該端末に送信するサブステップ、又は
該第２ネットワークノードが該測定構成情報を該第１ネットワークノードに送信し、該第１ネットワークノードが、該端末に接続される無線周波数チェーンを介して該測定構成情報を該端末に送信するサブステップと、を含む。
【０００９】
１つの好適な例において、端末に送信するステップは、
該端末が、該無線周波数測定結果を該第１ネットワークノードに接続される無線周波数チェーンを介して該第１ネットワークノードに送信するサブステップ、又は
該端末が、該無線周波数測定結果を該第２ネットワークノードに接続される無線周波数チェーンを介して該第２ネットワークノードに送信し、該第２ネットワークノードが、該無線周波数測定結果を該第１ネットワークノードに転送するサブステップを含む。
【００１０】
１つの好適な例において、該測定オブジェクト情報は、周波数ビン、周波数帯域又は周波数帯域群である。
【００１１】
１つの好適な例において、該第１ネットワークノードが所在する無線ネットワークは、ＬＴＥネットワークであり、該第２ネットワークノードが所在するネットワークは、ＮＲネットワークであり、又は
該第１ネットワークノードが所在する無線ネットワークは、ＮＲネットワークであり、該第２ネットワークノードが所在する無線ネットワークはＬＴＥネットワークであり、又は
該第１及び第２ネットワークノードが所在する無線ネットワークは、いずれもＮＲネットワークである。
【００１２】
１つの好適な例において、該測定オブジェクトは、前記第１ネットワークノードと前記端末とを接続する無線周波数チェーンでサポートされる周波数帯域範囲外にある。
【００１３】
１つの好適な例において、該測定構成情報は、測定ギャップ、及び測定ギャップと測定オブジェクトとの対応関係を含む。
【００１４】
１つの好適な例において、該無線周波数測定結果には、測定される周波数ビン、周波数バンド又は周波数バンド群の情報が含まれる。
【００１５】
１つの好適な例において、該第２ネットワークノードが測定構成情報の全て又は一部を生成する前に、
該第２ネットワークノードが、該第１ネットワークノードからの測定要求を受け入れるかどうかを判定し、受け入れないと判定した場合、測定要求を拒否することを表すメッセージを該第１ネットワークノードに送信し、受け入れると判定した場合、測定構成情報を生成して該端末に送信するステップを更に含む。
【００１６】
１つの好適な例において、第１ネットワークノードが、第２ネットワークノードに測定オブジェクト情報を送信するステップの前に、
該第１ネットワークノードが、該端末に接続される無線周波数チェーンで測定オブジェクトについて無線周波数の測定を実行できるかどうかを判定し、測定できなければ、該第２ネットワークノードに測定オブジェクト情報を送信し、測定できれば、該第１ネットワークノードにおける該端末に接続される無線周波数チェーンを用いて、該測定オブジェクトについて無線周波数の測定を実行するステップを更に含む。
【００１７】
１つの好適な例において、端末に送信するステップの後、
該端末が、該測定構成情報に基づいて、該第２ネットワークノードに接続される無線周波数チェーンを用いて無線周波数の測定を実行するステップを更に含む。
【００１８】
本出願は、マルチ無線周波数受信能力を有する端末の測定構成方法を更に開示し、該方法は、
第２ネットワークノードが、第１ネットワークノードからの測定オブジェクト情報を受信するステップと、
該第２ネットワークノードが測定構成情報の全て又は一部を生成して該端末に送信するステップと、
該第１ネットワークノードが、該端末により該測定オブジェクトで得られた無線周波数測定結果を取得するステップと、を含む。
【００１９】
１つの好適な例において、該測定構成情報は、該測定オブジェクト情報に基づいて生成され、該端末が該第２ネットワークノードと接続される無線周波数チェーンを用いて無線周波数の測定を実行するように供する。
【００２０】
本出願は、マルチ無線周波数受信能力を有する端末の測定構成方法を更に開示し、該方法は、
端末が、全て又は一部が第２ネットワークノードにより生成される測定構成情報を取得するステップと、
該端末が、該測定構成情報に基づいて、第１ネットワークノードにより提供される測定オブジェクトで無線周波数の測定を実行するステップと、
該端末が、無線周波数測定結果を該第１ネットワークノードに報告するステップと、を含む。
【００２１】
１つの好適な例において、該端末が該測定構成情報に基づいて無線周波数の測定を実行するステップにおいて、該端末は、該第２ネットワークノードに接続される無線周波数チェーンで、該測定構成情報に基づいて無線周波数の測定を実行する。
【００２２】
本出願は、マルチ無線周波数受信能力を有する端末の測定構成システムを更に開示し、該システムは、端末と、第１ネットワークノードと、第２ネットワークノードとを備え、
該第１ネットワークノードは、該第２ネットワークノードに測定オブジェクト情報を送信するために用いられ、
該第２ネットワークノードは、測定構成情報の全て又は一部を生成して端末に送信するために用いられ、
該端末は、該測定構成情報に基づいて、該測定オブジェクトにおいて無線周波数測定を行い、該測定結果を該第１ネットワークノードに報告するために用いられる。
【００２３】
本出願は、ネットワークシステムを更に開示し、該ネットワークシステムは、第１ネットワークノードと、第２ネットワークノードとを備え、
該第１ネットワークノードは、該第２ネットワークノードに測定オブジェクト情報を送信し、該端末からの無線周波数測定結果を取得するために用いられ、
該第２ネットワークノードは、測定構成情報の全て又は一部を生成して該端末に送信し、端末が該測定オブジェクトにおいて無線周波数の測定を実行するように供するために用いられる。
【００２４】
本出願は、端末を更に開示し、該端末は、
全て又は一部が該第２ネットワークノードにより生成される測定構成情報を取得するためのモジュールと、
該測定構成情報に基づいて、第１ネットワークノードにより提供される測定オブジェクトで無線周波数の測定を実行するためのモジュールと、
無線周波数測定結果を該第１ネットワークノードに報告するためのモジュールと、を備える。
【００２５】
本出願は、マルチ無線周波数受信能力を有する端末の測定構成方法を更に開示し、該方法は、
第１ネットワークノードが、Ｎ個の他のネットワークノードにそれぞれ測定オブジェクト情報を送信するステップと、
Ｎ個の他のネットワークノードがそれぞれ測定構成情報の全て又は一部を生成して端末に送信するステップであって、ここで、計Ｎ個の測定構成情報が生成される、ステップと、
該第１ネットワークノードが、該端末によりＮ個の該測定オブジェクトでそれぞれ得られたＮ個の無線周波数測定結果を取得するステップと、を含む。
【００２６】
１つの好適な例において、該第１ネットワークノードが、該端末によりＮ個の該測定オブジェクトでそれぞれ得られたＮ個の無線周波数測定結果を取得するステップは、
該端末が、Ｎ個の無線周波数測定結果をまとめた後、該第１無線周波数チェーンを介して該第１ネットワークノードに報告するサブステップを含む。
【００２７】
本出願は、マルチ無線周波数受信能力を有する測定構成システムを更に開示し、該測定構成システムは、端末と、第１ネットワークノードと、Ｎ個の他のネットワークノードを備え、該Ｎは正整数であり、
該第１ネットワークノードは、該Ｎ個の他のネットワークノードにそれぞれ測定オブジェクト情報を送信するために用いられ、ここで計Ｎ個の測定オブジェクトであり、
該Ｎ個の他のネットワークノードはそれぞれ測定構成情報の全て又は一部を生成するために用いられ、ここで、計Ｎ個の測定構成情報が生成され、
該端末は、該Ｎ個の測定構成情報に基づいて、それぞれ該Ｎ個の測定オブジェクトにおいて無線周波数測定を行って、Ｎ個の無線周波数測定結果を得て、該第１ネットワークノードに報告するために用いられる。
【００２８】
本出願の実施形態は、従来技術に比べて、マルチ無線周波数能力、特にマルチ無線周波数受信能力を有する端末は、測定精度の確保を前提として、同様に、端末のスループット特性をできる限り確保することもできる。
【００２９】
本出願の明細書には、多くの技術的特徴が記載されており、それらは各技術的解決手段に分布する。本出願の全ての可能な技術的特徴の組み合わせ（即ち技術的解決手段）を挙げれば、明細書が過度に冗長となる。該問題を避けるために、本出願の上記発明の概要に開示される各技術的特徴、以下の各実施例及例に開示されている各技術的特徴、及び図面に開示されている各技術的特徴は、技術的に実現可能である限り、いずれも自由に相互組み合わせることで、様々な新しい技術的解決手段（これらの技術的解決手段は、本明細書に記載されているものと見なされる）を設定することができる。例えば、一例において特徴Ａ＋Ｂ＋Ｃが開示され、別の例において特徴Ａ＋Ｂ＋Ｄ＋Ｅが開示されるが、特徴ＣとＤは、同一の役割を果たす同等の技術的解決手段であり、技術的には、１つを選択して使用すればよく、同時に使用することは不可能である。特徴Ｅが技術的には、特徴Ｃと組み合わせることが可能である。従って、Ａ＋Ｂ＋Ｃ＋Ｄによる技術的解決手段は、技術的に実現不可能であるため、記載されているものと見なされるべきではなく、Ａ＋Ｂ＋Ｃ＋Ｅによる技術的解決手段は、記載されているものと見なされるべきである。
【図面の簡単な説明】
【００３０】
【図１】本出願によるＬＴＥ−ＮＲ多重接続シナリオを示す概略図である。
【図２】本出願の第１実施形態によるマルチ無線周波数受信能力を有する端末の測定構成方法のフローチャートである。
【図３】本出願の第１実施形態の一例のフローチャートである。
【発明を実施するための形態】
【００３１】
以下の記述において、読者が本出願をよく理解できるようにするために多くの技術的詳細を説明する。しかし、当業者は、これらの実施形態の詳細および以下の各実施形態による様々な変更や修正がなくても、本出願の各請求項に係る技術的解決手段を実現できることを理解すべきである。
【００３２】
一部の概念に関する説明：
ＬＴＥ：長期的進化（Ｌｏｎｇ  Ｔｅｒｍ  Ｅｖｏｌｕｔｉｏｎ：「ＬＴＥ」と略称する）
ＮＲ：５Ｇ（第５世代移動通信技術）の無線アクセス部分であって、Ｎｅｗ  Ｒａｄｉｏの略語である。
ＭＮ：マスターノード（Ｍａｓｔｅｒ  Ｎｏｄｅ：「ＭＮ」と略称する）
ＳＮ：セカンダリノード（Ｓｅｃｏｎｄ  Ｎｏｄｅ：「ＳＮ」と略称する）
Ｍｅａｓｕｒｅｍｅｎｔ  ＧＡＰ：測定ギャップ
ＧＳＭ：グローバル移動体通信システム（Ｇｌｏｂａｌ  Ｓｙｓｔｅｍ  ｆｏｒ  Ｍｏｂｉｌｅ  ｃｏｍｍｕｎｉｃａｔｉｏｎ：「ＧＳＭ」と略称する）
ＷＣＤＭＡ：広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称する）
端末：ＵＥ（ユーザ機器）、無線端末、移動端末、移動局等と称されてもよい
【００３３】
以下、本出願の一部の革新的な点を概説する。
【００３４】
マルチ無線周波数能力を有する端末は、複数の無線ネットワークのネットワークノードとは複数の無線周波数チェーンを同時に確立することができる。例えば、端末は、第１無線周波数チェーンを介して第１無線ネットワークにおける第１ネットワークノードに接続すると同時に、第２無線周波数チェーンを介して第２無線ネットワークにおける第２ネットワークノードに接続する。第１ネットワークノードは、第２無線周波数チェーンのカバーする周波数ビン、周波数帯域又は周波数帯域群等の測定オブジェクトを測定する必要があると、測定オブジェクト情報を搬送する測定要求メッセージを、第２ネットワークノードに送信してもよい。第２ネットワークノードは、測定要求メッセージを受信した後、該測定要求を受け入れるかどうかを判定し、受け入れると、測定構成情報を生成し、測定構成情報を、第２無線周波数チェーンを介して端末に直接的に送信するか、又は第１ネットワークノードによって第１無線周波数チェーンから端末に転送する。端末は、測定構成情報に基づいて第２無線周波数チェーンで無線周波数測定を完了してから、無線周波数測定結果を、第１無線周波数チェーンを介して第１ネットワークノードに直接的に送信するか、又は第２無線周波数チェーン及び第２ネットワークノードによって第１ネットワークノードに転送する。測定全体に亘って第１無線周波数チェーンについて測定ギャップが設けられていないため、第１無線周波数チェーンにおけるスループット特性が確保される。また、測定構成情報が第２ネットワークノードにより生成され（第１ネットワークノードは測定オブジェクトの決定のみを行うが、測定構成情報の生成を行わない）、且つ第２無線周波数チェーンにより実施されるため、測定オブジェクトは第２無線周波数チェーンによりカバーすることが全く可能であり、従って、同時に測定の精度が確保される。本技術的解決手段における１つの好ましい適用シナリオはＬＴＥ−ＮＲ多重接続シナリオである。ＬＴＥとＮＲ周波数帯域が限定されるため、ＬＴＥ又はＮＲのいずれかのリンクにおける無線周波数チェーン（ＲＦ  Ｃｈａｉｎ）を用いて別のリンクを測定することは不可能である。一側のネットワークが相手側の信号品質を知る必要がある時、上記技術的解決手段によって２つのネットワークの間の協調を実現し、相手側ネットワークの無線周波数チェ
ーンを用いて測定を行うことで、異なる周波数ビンの間の測定の問題を解決することができる。１つの適用シナリオは図１に示すように、ＵＥ及びＬＴＥネットワークにおけるネットワークノードＭＮは２．６ＧＨｚ無線周波数チェーンで接続される。ＵＥ及びＮＲネットワークにおけるネットワークノードＳＮは２８ＧＨｚ無線周波数チェーンで接続される。ＳＮがＭＮの無線周波数測定結果を知る必要があるか、又はＭＮがＳＮの無線周波数測定結果を知る必要があると、上記技術的解決手段を用いることができる。
【００３５】
上述には２つの無線周波数チェーンに関するシナリオが言及されるが、複数の無線周波数チェーンに関するシナリオまで拡張することができる。１つのネットワークノードがＮ個の他の無線ネットワークにおける測定オブジェクトを測定する必要がある時、Ｎ個の他の無線ネットワークにおけるネットワークノードにそれぞれ、測定オブジェクト情報を搬送する測定要求メッセージを送信することができる。Ｎ個の測定要求メッセージがそれぞれＮ個のネットワークノードに送信され、Ｎ個のネットワークノードはそれぞれ測定オブジェクト情報に基づいて測定構成情報を生成し、端末に直接的又は間接的に送信する。端末は、Ｎ個の無線周波数チェーンでＮ個の測定構成情報に対してそれぞれ無線周波数測定を行い、Ｎ個の無線周波数測定結果を、最初に測定要求メッセージを出したネットワークノードに直接的又は間接的に報告する。任意選択的に、Ｎ個の無線周波数測定結果をまとめた後、いずれかの無線周波数チェーンを介してネットワーク側に一括して報告することができる。
【００３６】
本出願の目的、技術的解決手段及び利点をより明確にするために、以下、図面を参照しながら、本出願の実施例形態をより詳しく説明する。
【００３７】
本出願の第１実施形態は、マルチ無線周波数受信能力を有する端末の測定構成方法に関する。図２は該マルチ無線周波数受信能力を有する端末の測定構成方法のフローチャートである。該マルチ無線周波数受信能力を有する端末の測定構成方法において、端末は、第１無線周波数チェーンを介して第１無線ネットワークにおける第１ネットワークノードに接続される。端末は、第２無線周波数チェーンを介して第２無線ネットワークにおける第２ネットワークノードに接続される。任意選択的に、第１無線ネットワークはＬＴＥネットワークであり、第２無線ネットワークはＮＲネットワークである。任意選択的に、第１無線ネットワークはＮＲネットワークであり、第２無線ネットワークはＬＴＥネットワークである。任意選択的に、第１及び第２無線ネットワークはいずれもＮＲネットワークである。任意選択的に、第１無線ネットワーク及び第２無線ネットワークは２つの独立したネットワークである。任意選択的に、第１無線ネットワーク及び第２無線ネットワークは同一のネットワークである。
【００３８】
本方法は下記ステップを含む。
【００３９】
ステップ２０１において、第１ネットワークノードは、第１無線周波数チェーンが測定オブジェクトを測定できるかどうかを判定し、測定できなければ、ステップ２０３に進み、そうでなければ、ステップ２０２に進む。本出願の各実施形態において、測定オブジェクトは周波数ビン、周波数帯域又は周波数帯域群、測定情報、測定構成情報等であってもよい。任意選択的に、測定オブジェクトは、第１無線周波数チェーンでサポートされる周波数帯域範囲外にあり、第２無線周波数チェーンでサポートされる周波数帯域範囲内にある。任意選択的に、測定オブジェクトは、第１無線周波数チェーンでサポートされる周波数帯域範囲内にあってもよいが、第１無線周波数チェーンのスループットの確保等の理由によって、第１無線周波数チェーンを測定に使用しないようにする。
【００４０】
ステップ２０２において、第１無線周波数チェーンを用いて測定オブジェクトに対して無線周波数の測定を実行する。その後、本フローを終了する。
【００４１】
ステップ２０３において、第１ネットワークノードは第２ネットワークノードに測定要求メッセージを送信し、該測定要求メッセージには測定オブジェクト情報が含まれる。
【００４２】
続いて、ステップ２０４に進み、第２ネットワークノードは測定要求メッセージを受信した後、第１ネットワークノードからの測定要求を受け入れるかどうかを判定し、受け入れないと、ステップ２０５に進み、受け入れると、ステップ２０６に進む。
【００４３】
ステップ２０５において、第２ネットワークノードは、測定要求を拒否することを表すメッセージを第１ネットワークノードに送信し、その後、本フローを終了する。
【００４４】
ステップ２０６において、第２ネットワークノードは測定オブジェクト情報に基づいて測定構成情報を生成する。測定構成情報は、測定ギャップ情報、測定ギャップと測定オブジェクトとの対応関係等の情報を含んでもよい。
【００４５】
続いてステップ２０７に進み、端末は、測定構成情報を取得する。任意選択的に、第２ネットワークノードは第２無線周波数チェーンを介して測定構成情報を端末に送信する。任意選択的に、第２ネットワークノードは測定構成情報を第１ネットワークノードに送信し、第１ネットワークノード通は、第１無線周波数チェーンを介して測定構成情報を端末に送信する。
【００４６】
続いてステップ２０８に進み、端末は、測定構成情報に基づいて、第２無線周波数チェーンを用いて無線周波数測定を行い、無線周波数測定結果を得る。任意選択的に、無線周波数測定結果には、測定される周波数ビン、周波数バンド或周波数バンド群の情報及び／又は対応する測定結果が含まれてもよい。
【００４７】
続いてステップ２０９に進み、第１ネットワークノードは端末からの無線周波数測定結果を取得する。任意選択的に、端末は第１無線周波数チェーンを介して無線周波数測定結果を第１ネットワークノードに送信する。任意選択的に、端末は第２無線周波数チェーンを介して無線周波数測定結果を第２ネットワークノードに送信し、第２ネットワークノードは無線周波数測定結果を第１ネットワークノードに転送する。
【００４８】
上記技術的解決手段によれば、マルチ無線周波数能力、特にマルチ無線周波数受信能力を有する端末が測定精度の確保を前提として端末のスループット特性をできる限り確保するようにする。
【００４９】
上記ステップ２０１及び２０２は任意選択的なものである。つまり、１つの実施例において、第１ネットワークノードは、第１無線周波数チェーンが測定オブジェクトに対して無線周波数測定を実行できるかどうかを判定しなくてもよい。または、第１ネットワークノードが測定オブジェクトに対して無線周波数測定を実行できても、ステップ２０３からステップ２０９によって、第２無線リンクによって測定オブジェクトに対して無線周波数の測定を実行することもできる。
【００５０】
上記ステップ２０４及び２０５は任意選択的なものである。つまり、１つの実施例において、第２ネットワークノードは、第１ネットワークノードからの測定要求を受け入れるかどうかを判定することもなく、測定要求の拒否オプションを提供しなくてもよい。
【００５１】
上記技術的解決手段をより理解できるように、以下、１つの具体的なれを挙げて説明する。
【００５２】
図１に示すシナリオにおいて、測定開始者（ＭＮ）に設定される端末（ＵＥ）が測定実行者（ＳＮ）の周波数ビンを測定する時、フローは図３に示すとおりである。ここで、測定開始者はＭＮ（上記技術的解決手段における第１ネットワークノードに相当）であり、測定実行者は２つある。ネットワーク側の測定実行者はＳＮ（上記技術的解決手段における第２ネットワークノードに相当）であり、端末ＵＥは別の測定実行者である。この場合、測定が求められる周波数ビンは、測定実行者ではもともと測定したい周波数ビンと同一または異なってもよい。勿論、ネットワーク側の測定開始者と測定実行者は互換可能であり、即ち測定開始者はＳＮであってもよく、測定実行者はＭＮであってもよく、その処理方式は類似している。
【００５３】
ステップ３０１において、測定開始者ネットワークノードＭＮ（例えばＬＴＥ２．６ＧＨｚ）が、端末が対応するリンク（ＬＴＥネットワークの２．６ＧＨｚ無線周波数チェーン）によって測定実行者ネットワークノードＳＮを測定できないと判定する時、測定開始者ネットワークノードと測定実行者ネットワークノードとは協調を行う。例えば、測定開始者ネットワークノードはネットワーク側インタフェース（例えばＸｎ）によって、周波数ビン等の情報のような対応する測定オブジェクトを測定実行者に通知することができる。
【００５４】
続いてステップ３０２に進み、測定実行者は関連する測定要求を受け入れるか又は拒否することができる。測定実行者が測定要求を受け入れると、対応するＭｅａｓｕｒｅｍｅｎｔ  ＧＡＰを設定し、測定実行者が測定要求を拒否すると、ネットワークインタフェース（例えばＸｎ）によって返信する。
【００５５】
測定実行者が測定要求を受け入れて、Ｍｅａｓｕｒｅｍｅｎｔ  ＧＡＰのような対応する測定パラメータを設定すると、対応する測定構成パラメータを端末に送信する。測定実行者によって送信されてもよいし（例えばステップ３０４に示すように）、測定開始者によって送信されてもよい（例えばステップ３０３に示すように）。ここで、測定構成を行う時、対応するＭｅａｓｕｒｅｍｅｎｔ  ＧＡＰとＭｅａｓｕｒｅｍｅｎｔ  Ｏｂｊｅｃｔ（例えば測定周波数ビン、周波数バンド（ｂａｎｄ）或者周波数バンド群の識別子）との対応関係を設定する必要がある。それにより、該Ｍｅａｓｕｒｅｍｅｎｔ  ＧＡＰがどの周波数ビン、周波数バンド又は周波数バンド群について設定されるかを端末に通知する。ここの周波数バンド群は、端末の該無線周波数チェーンがカバーできる全ての周波数バンドの組み合わせである。
【００５６】
ステップ３０５において、端末は測定実行者の無線周波数チェーン（例えばＮＲネットワークの２８ＧＨｚ無線周波数チェーン）を用いて、測定構成パラメータに基づいて測定を行う。
【００５７】
端末は測定を完了した後、測定開始者に測定結果を報告することができ（ステップ３０６に示すように）、測定実行者によって測定結果を報告して、更に測定開始者に転送することもできる（ステップ３０７に示すように）。ここで、報告時、対応する周波数ビン、周波数バンド又は周波数バンド群の情報を搬送する必要がある。
【００５８】
本出願の第２実施形態は、マルチ無線周波数受信能力を有する端末の測定構成方法に関する。本実施形態は、第１実施形態をネットワーク側で実現させるための形態であり、関連する細部は、第１実施形態と同じであり、第１実施形態を参照することができる。
【００５９】
該マルチ無線周波数受信能力を有する端末の測定構成方法において、端末は第１無線周波数チェーンを介して第１無線ネットワークにおける第１ネットワークノードに接続される。端末は、第２無線周波数チェーンを介して第２無線ネットワークにおける第２ネットワークノードに接続される。該方法は下記ステップを含む。
【００６０】
第２ネットワークノードは、第１ネットワークノードからの測定オブジェクト情報を受信する。
【００６１】
第２ネットワークノードは、測定オブジェクト情報に基づいて測定構成情報を生成する。
【００６２】
測定構成情報を端末に送信し、端末が測定構成情報に基づいて第２無線周波数チェーンを用いて無線周波数の測定を実行するように供する。任意選択的に、第２ネットワークノードは測定構成情報を、第２無線周波数チェーンを介して端末に送信する。任意選択的に、第２ネットワークノードは測定構成情報を第１ネットワークノードに送信し、第１ネットワークノードは第１無線周波数チェーンを介して測定構成情報を端末に送信する。
【００６３】
第１ネットワークノードは、端末からの無線周波数測定結果を取得する。任意選択的に、第１ネットワークノードは、第１無線周波数チェーンを介して端末から無線周波数測定結果を取得する。任意選択的に、第２ネットワークノードは第２無線周波数チェーンを介して端末から無線周波数測定結果を取得し、第２ネットワークノードは更に無線周波数測定結果を第１ネットワークノードに転送する。
【００６４】
本出願の第３実施形態は、マルチ無線周波数受信能力を有する端末の測定構成方法に関する。本実施形態は、第１実施形態を端末側で実現させるための形態であり、関連する細部は、第１実施形態と同じであり、第１実施形態を参照することができる。
【００６５】
該マルチ無線周波数受信能力を有する端末の測定構成方法において、端末は第１無線周波数チェーンを介して第１無線ネットワークにおける第１ネットワークノードに接続される。端末は第２無線周波数チェーンを介して第２無線ネットワークにおける第２ネットワークノードに接続される。
【００６６】
該方法は下記ステップを含む。
【００６７】
端末は、測定構成情報を取得し、測定構成情報は第２ネットワークノードにより第１ネットワークノードからの測定オブジェクト情報に基づいて生成される。
【００６８】
端末は測定構成情報に基づいて、第２無線周波数チェーンを用いて無線周波数測定を実行し、
端末は、無線周波数測定結果を第１ネットワークノードに報告する。任意選択的に、端末は無線周波数測定結果を第１無線周波数チェーンを介して第１ネットワークノードに送信する。任意選択的に、端末は、無線周波数測定結果を第２無線周波数チェーンを介して第２ネットワークノードに送信し、第２ネットワークノードは、無線周波数測定結果を第１ネットワークノードに転送する。
【００６９】
本出願の第４実施形態は、マルチ無線周波数受信能力を有する端末の測定構成システムに関する。該マルチ無線周波数受信能力を有する端末の測定構成システムは、端末と、第１無線ネットワークにおける第１ネットワークノードと、第２無線ネットワークにおける第２ネットワークノードとを備える。
【００７０】
端末は第１無線周波数チェーンを介して第１ネットワークノードに接続され、端末は、第２無線周波数チェーンを介して第２ネットワークノードに接続される。
【００７１】
第１ネットワークノードは、第２ネットワークノードに測定オブジェクト情報を送信し、端末からの無線周波数測定結果を取得するために用いられる。任意選択的に、第１ネットワークノードは第１無線周波数チェーンを介して端末から無線周波数測定結果を取得する。任意選択的に、第２ネットワークノードは第２無線周波数チェーンを介して端末から無線周波数測定結果を取得し、第２ネットワークノードは更に無線周波数測定結果を第１ネットワークノードに転送する。
【００７２】
第２ネットワークノードは、測定オブジェクト情報に基づいて測定構成情報を生成するために用いられる。
【００７３】
端末は、測定構成情報を取得し、測定構成情報に基づいて、第２無線周波数チェーンを用いて無線周波数測定を実行し、測定結果を報告するために用いられる。
【００７４】
第１実施形態は本実施形態に対応する方法の実施形態である。本実施形態は第１実施形態と組み合わせて実行することができる。第１実施形態において言及された関連技術の詳細が本実施形態において依然として有効であり、繰返しの記述を避けるために、説明を省略する。その分、本実施形態において言及された関連技術の詳細は第１実施形態にも適用できる。
【００７５】
本出願の第５実施形態はネットワークシステムに関する。本実施形態は第４実施形態をネットワーク側で実現させるための形態であり、関連する細部は、第４実施形態と同じであり、第４実施形態を参照することができる。
【００７６】
該ネットワークシステムは第１無線ネットワークにおける第１ネットワークノードと、第２無線ネットワークにおける第２ネットワークノードとを備える。
【００７７】
第１ネットワークノードは第１無線周波数チェーンを介して端末に接続され、第２ネットワークノードは第２無線周波数チェーンを介して端末に接続される。
【００７８】
第１ネットワークノードは、第２ネットワークノードに測定オブジェクト情報を送信し、端末からの無線周波数測定結果を取得するために用いられる。
【００７９】
第２ネットワークノードは、測定オブジェクト情報に基づいて測定構成情報を生成して端末に送信し、端末が測定構成情報に基づいて第２無線周波数チェーンを用いて無線周波数の測定を実行するように供するために用いられる。
【００８０】
本出願の第６実施形態は端末に関する。本実施形態は第４実施形態を端末側で実現させるための形態であり、関連する細部は、第４実施形態と同じであり、第４実施形態を参照することができる。
【００８１】
該端末は、第１無線周波数チェーンを介して第１無線ネットワークにおける第１ネットワークノードに接続される。端末は、第２無線周波数チェーンを介して第２無線ネットワークにおける第２ネットワークノードに接続される。
【００８２】
該端末は、
第２ネットワークノードにより第１ネットワークノードからの測定オブジェクト情報に基づいて生成される測定構成情報を取得するためのモジュールと、
測定構成情報に基づいて第２無線周波数チェーンを用いて無線周波数測定を実行するためのモジュールと、
無線周波数測定結果を第１ネットワークノードに報告するためのモジュールと、を備える。
【００８３】
本出願の第７実施形態は、マルチ無線周波数受信能力を有する端末の測定構成方法に関する。本実施形態は第１実施形態の技術的解決手段（２つの無線ネットワーク）をより多くの無線ネットワークまで拡張させた技術的解決手段である。主に、無線ネットワークの数が異なる点で相違する。他の関連細部（例えば、測定オブジェクトの例、測定構成情報の例、測定要求を受け入れるかどうかについての判定等）は第１実施形態を参照することができる。
【００８４】
該マルチ無線周波数受信能力を有する端末の測定構成方法において、端末は、第１無線周波数チェーンを介して第１無線ネットワークにおける第１ネットワークノードに接続される。端末はＮ本の無線周波数チェーンを介してそれぞれＮ個の異なる無線ネットワークにおけるＮ個のネットワークノードに接続され、Ｎは正整数である。
【００８５】
該方法は下記ステップを含む。
【００８６】
第１ネットワークノードはＮ個のネットワークノードにそれぞれ測定要求メッセージを送信し、各測定要求メッセージにはそれぞれ１つの測定オブジェクト情報が含まれる。従って計Ｎ個の測定オブジェクト情報は１対１に対応するようにＮ個のネットワークノードに送信される。
【００８７】
Ｎ個のネットワークノードはそれぞれ受信した測定オブジェクト情報に基づいて測定構成情報を生成し、ここで、計Ｎ個の測定構成情報が生成される。
【００８８】
端末はＮ個の測定構成情報を取得する。任意選択的に、Ｎ個のネットワークノードはいずれも測定構成情報を第１ネットワークノードに送信する。第１ネットワークノードからＮ個の測定構成情報を、第１無線周波数チェーンを介して端末に送信する。任意選択的に、Ｎ個のネットワークノードはそれぞれ測定構成情報をそれと端末との間の無線周波数リンクによって端末に送信する。任意選択的に、Ｎ個のネットワークノードにおける一部のネットワークノードは、生成される測定構成情報を第１ネットワークノードに送信する。第１ネットワークノードからＮ個の測定構成情報を第１無線周波数リンクによって端末に送信する。Ｎ個のネットワークノードにおける他の部分のネットワークノードはそれぞれ生成される測定構成情報をそれと端末との間の無線周波数チェーンを介して端末に直接的に送信する。
【００８９】
端末はＮ個の測定構成情報に基づいてそれぞれＮ個の無線周波数チェーンを用いて無線周波数測定を実行し、Ｎ個の無線周波数測定結果を得る。
【００９０】
第１ネットワークノードはＮ個の無線周波数測定結果を取得する。任意選択的に、端末はＮ個の無線周波数測定結果をまとめた後、第１無線周波数チェーンを介して第１ネットワークノードに報告する。任意選択的に、端末は、Ｎ個の無線周波数測定結果をそれぞれＮ個の無線周波数チェーンを介してＮ個のネットワークノードに報告する。Ｎ個のネットワークノードからそれぞれ第１ネットワークノードに無線周波数測定結果を転送する。任意選択的に、端末は、Ｎ個のネットワークノードとの間のＮ個の無線周波数チェーンから１本又は複数本の無線周波数チェーンを選択し、これらの無線周波数チェーンを介して無線周波数測定結果をＮ個のネットワークノードのうちの１つ又は複数に報告する。さらに、無線周波数測定結果を受信した各ネットワークノードから第１ネットワークノードに無線周波数測定結果を転送する。
【００９１】
本出願の第８実施形態は、マルチ無線周波数受信能力を有する端末の測定構成システムに関する。
【００９２】
該マルチ無線周波数受信能力を有する端末の測定構成システムは、端末と、第１無線ネットワークにおける第１ネットワークノードと、Ｎ個の無線ネットワークにおけるＮ個のネットワークノードとを備える。端末は第１無線周波数チェーンを介して第１無線ネットワークにおける第１ネットワークノードに接続される。端末はＮ本の無線周波数チェーンを介してそれぞれＮ個の異なる無線ネットワークにおけるＮ個のネットワークノードに接続され、Ｎは正整数である。
【００９３】
第１ネットワークノードは、Ｎ個のネットワークノードにそれぞれ測定オブジェクト情報を送信し、Ｎ個の無線周波数測定結果を取得するために用いられる。
【００９４】
Ｎ個のネットワークノードはそれぞれ受信した測定オブジェクト情報に基づいて測定構成情報を生成するために用いられ、ここで、計Ｎ個の測定構成情報が生成される。
【００９５】
端末はＮ個の測定構成情報を取得し、Ｎ個の測定構成情報に基づいてそれぞれＮ個の無線周波数チェーンを用いて無線周波数測定を実行し、Ｎ個の無線周波数測定結果を得るために用いられる。
【００９６】
第７実施形態は本実施形態に対応する方法の実施形態である。本実施形態は第７実施形態と組み合わせて実行することができる。第７実施形態において言及された関連技術の詳細が本実施形態において依然として有効であり、繰返しの記述を避けるために、説明を省略する。その分、本実施形態において言及された関連技術の詳細は第７実施形態にも適用できる。
【００９７】
本出願の各方法の実施形態は、何れもソフトウェア、ハードウェア、ファームウェアなどの方式にて実現できるものである。本出願がソフトウェア、ハードウェアにて実現されるかファームウェアにて実現されるかにかかわらず、命令コードはいかなるタイプのコンピュータがアクセス可能なメモリ（例えば、永続的又は書き換え可能な媒体、揮発性又は不揮発性媒体、固体又は非固体の媒体、固定又は取り外し可能な媒体等）内に記憶することもできる。同様に、メモリは、例えばプログラマブルアレイ論理（Ｐｒｏｇｒａｍｍａｂｌｅ  Ａｒｒａｙ  Ｌｏｇｉｃ：「ＰＡＬ］と略称する）、ランダムアクセスメモリ（Ｒａｎｄｏｍ  Ａｃｃｅｓｓ  Ｍｅｍｏｒｙ：「ＲＡＭ」と略称する）、プログラマブル読取専用メモリ（Ｐｒｏｇｒａｍｍａｂｌｅ  Ｒｅａｄ  Ｏｎｌｙ  Ｍｅｍｏｒｙ：「ＰＲＯＭ」と略称する）、読取専用メモリ（Ｒｅａｄ−Ｏｎｌｙ  Ｍｅｍｏｒｙ：「ＲＯＭ」と略称する）、電気的に消去可能なプログラマブル読取専用メモリ（Ｅｌｅｃｔｒｉｃａｌｌｙ  Ｅｒａｓａｂｌｅ  Ｐｒｏｇｒａｍｍａｂｌｅ  ＲＯＭ：「ＥＥＰＲＯＭ」と略称する）、磁気ディスク、光ディスク、デジタルバーサタイルディスク（Ｄｉｇｉｔａｌ  Ｖｅｒｓａｔｉｌｅ  Ｄｉｓｃ：「ＤＶＤ」と略称する）等であってもよい。
【００９８】
なお、本出願の各装置の実施形態において言及された各ユニットはいずれも論理ユニットである。物理的には、１つの論理ユニットは１つの物理的ユニットであってもよいし、１つの物理的ユニットの一部であってもよいし、複数の物理的ユニットの組み合わせで実現されるものであってもよい。これらの論理ユニット自体の物理的実現形態は最も重要なものではなく、これらの論理ユニットで実現される機能の組み合わせは、本出願の提起した技術的課題を解決するための鍵である。また、本出願の革新な部分を強調するために、本出願の上記各装置の実施形態において本出願の提起した技術的課題の解決と密接に関連しないユニットが導入されていないが、これは、上記装置の実施形態には他のユニットが含まれないことを表さない。
【００９９】
なお、本出願の出願書類には、第１及び第２のような関係語は、１つのエンティティ又は操作と、別のエンティティ又は操作とを区別するためのものに過ぎない。これらのエンティティ又は操作同士には任意のそのような実際の関係又は順番が存在することは必須ではないか又は示唆されない。また、用語「含む」、「包含」又はそれらの他の変形の任意のものは、非排他的包含を含むことを意図する。従って一連の要素を含む過程、方法、物品又は装置はこれらの要素を含むだけでなく、明確に挙げられていない他の要素も含むか、又はこのような過程、方法、物品又は装置に固有の要素も含む。更なる限定のない場合に、語句「１つの…を含む」により限定された要素は、前記要素を含む過程、方法、物品又は装置において更に別の同一の要素が存在することを排除しない。本出願の出願書類には、ある要素に基づいてある動作を実行することに言及されると、少なくとも該要素に基づいて該動作を実行することを意味し、ここで、該要素のみに基づいて該動作を実行すること、該要素及び他の要素に基づいて該動作を実行することを含む。複数、複数回、複数種等の表現は、２つ、２回、２種及び２つ以上、２回以上、２種以上を含む。
【０１００】
各文献がそれぞれ単独に引用されるように、本出願に係るすべての文献は本出願で参考として引用する。当業者であれば、本出願の上記の内容を読み終えた後、本出願について各種の変形や調整を行うことができるが、このような等価の様態のものは本出願の請求の範囲に含まれることを理解すべきである。
【図１】
2021503201.tif 000003
【図２】
2021503201.tif 000004
【図３】
2021503201.tif 000005
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
測定構成方法であって、
第１ネットワークノードが第２ネットワークノードに測定オブジェクト情報を送信するステップであって、前記測定オブジェクト情報は前記第２ネットワークノードが測定構成情報の一部を生成するために使用され、前記第１ネットワークノードはマスターノードであり、前記第２ネットワークノードはセカンダリノードであるステップと、
前記第１ネットワークノードは、端末により報告された前記測定オブジェクト情報に対応する測定オブジェクトで得られた測定結果を受信するステップであって、前記端末はマルチ無線周波数受信能力を有するステップと、を含むことを特徴とする、前記測定構成方法。
【請求項２】
前記測定構成情報は、前記第２ネットワークノードと前記端末とを接続する無線周波数チェーンを介して端末によって受信され、又は
前記測定構成情報は、前記第１ネットワークノードと前記端末とを接続する無線周波数チェーンを介して端末によって受信され、且つ前記測定構成情報が前記第２ネットワークノードによって前記第１ネットワークノードに送信されたものであることを特徴とする
請求項１に記載の測定構成方法。
【請求項３】
前記第１ネットワークノードは、端末により報告された前記測定オブジェクト情報に対応する測定オブジェクトで得られた測定結果を受信するステップは、
前記第１ネットワークノードは、前記第１ネットワークノードと前記端末とを接続する無線周波数チェーンを介して前記測定結果を受信するステップ、又は
前記第１ネットワークノードは、前記第２ネットワークノードから転送された前記測定結果を受信するステップであって、前記測定結果は、前記端末が、前記端末と前記第２ネットワークノードとを接続する無線周波数チェーンを介して前記第２ネットワークノードに送信したものであるステップを含むことを特徴とする
請求項１に記載の測定構成方法。
【請求項４】
前記測定オブジェクト情報は、周波数ビン、周波数帯域又は周波数帯域群であることを特徴とする
請求項１に記載の測定構成方法。
【請求項５】
前記測定オブジェクトは、前記第１ネットワークノードと前記端末とを接続する無線周波数チェーンでサポートされる周波数帯域範囲外にあることを特徴とする
請求項１に記載の測定構成方法。
【請求項６】
前記測定構成情報は、測定ギャップ、及び測定ギャップと測定オブジェクトとの対応関係を含むことを特徴とする
請求項１に記載の測定構成方法。
【請求項７】
第１ネットワークノードが、第２ネットワークノードに測定オブジェクト情報を送信するステップの前に、
前記第１ネットワークノードが、前記第１ネットワークノードと前記端末とを接続する無線周波数チェーンで測定オブジェクトについて無線周波数の測定を実行できるかどうかを判定し、前記第１ネットワークノードと前記端末とを接続する無線周波数チェーンで測定オブジェクトについて無線周波数の測定を実行できないと判定した場合、前記第２ネットワークノードに測定オブジェクト情報を送信し、前記第１ネットワークノードと前記端末とを接続する無線周波数チェーンで測定オブジェクトについて無線周波数の測定を実行できると判定した場合、前記第１ネットワークノードと前記端末とを接続する無線周波数チェーンを用いて、前記測定オブジェクトについて無線周波数の測定を実行するステップを更に含むことを特徴とする
請求項１に記載の測定構成方法。
【請求項８】
測定構成方法であって、
端末が、第２ネットワークノードにより生成される測定構成情報の一部を取得するステップであって、前記端末はマルチ無線周波数受信能力を有するステップと、
前記端末が、前記測定構成情報に基づいて、第１ネットワークノードにより提供される測定オブジェクトで無線周波数の測定を実行するステップと、
前記端末が、無線周波数測定結果を前記第１ネットワークノードに報告するステップと、を含むことを特徴とする、前記測定構成方法。
【請求項９】
前記端末が、前記測定構成情報に基づいて、第１ネットワークノードにより提供される測定オブジェクトで無線周波数の測定を実行するステップは、
前記端末は、前記端末と前記第２ネットワークノードとを接続する無線周波数チェーンで、前記測定構成情報に基づいて無線周波数の測定を実行することを特徴とする
請求項８に記載の測定構成方法。
【請求項１０】
前記測定構成情報の一部は、前記測定オブジェクト情報に基づいて前記第２ネットワークノードによって生成され、前記測定オブジェクト情報は、前記第１ネットワークノードから前記第２ネットワークノードに送信されることを特徴とする
請求項８に記載の測定構成方法。
【請求項１１】
前記測定構成情報は、前記第２ネットワークノードと前記端末とを接続する無線周波数チェーンを介して端末によって受信され、又は
前記測定構成情報は、前記第１ネットワークノードと前記端末とを接続する無線周波数チェーンを介して端末によって受信され、且つ前記測定構成情報が前記第２ネットワークノードによって前記第１ネットワークノードに送信されたものであることを特徴とする
請求項８に記載の測定構成方法。
【請求項１２】
前記測定構成方法は更に、
前記端末が、前記第１ネットワークノードと前記端末とを接続する無線周波数チェーンを介して前記測定結果を送信するステップ、又は
前記端末が、前記第２ネットワークノードと前記端末とを接続する無線周波数チェーンを介して前記測定結果を前記第２ネットワークノードに送信するステップであって、前記第２ネットワークノードが前記測定結果を前記第１ネットワークノードに転送することに用いられるステップを含むことを特徴とする
請求項８に記載の測定構成方法。
【請求項１３】
前記測定オブジェクト情報は、周波数ビン、周波数帯域又は周波数帯域群であることを特徴とする
請求項８に記載の測定構成方法。
【請求項１４】
前記測定構成情報は、測定ギャップ、及び測定ギャップと測定オブジェクトとの対応関係を含むことを特徴とする
請求項８に記載の測定構成方法。
【請求項１５】
端末であって、
プロセッサと、前記プロセッサによって実行可能な命令を記憶するように構成されるメモリと、を備え、
前記端末がマルチ無線周波数受信能力を有し、前記プロセッサが請求項８〜１４のいずれか一項に記載の測定構成方法を実施するように構成されることを特徴とする、前記端末。
【手続補正２】
【補正対象書類名】図面
【補正対象項目名】図２
【補正方法】変更
【補正の内容】
【図２】
2021503201.tif 000006
【国際調査報告】
2021503201.tif 000007
2021503201.tif 000008
2021503201.tif 000009
2021503201.tif 000010